(57)【特許請求の範囲】
【請求項１】
食害状況に応じて変化する電気量のＡＤ値を周期的に計測する手段と、計測したＡＤ値データを計測時刻データとともに履歴データとしてストアする手段と、履歴データを定期的に通信回線を介して食害管理センターのホストコンピュータに送信する手段と、ＡＤ値の変化率を算出する手段と、変化率または変化率差分を所定のしきい値と比較して超過するときには計測周期を早める手段とを備えている食害計測端末装置であって、
前記しきい値を第１のしきい値と読み替え、第１のしきい値よりも大きい第２のしきい値に対して変化率または変化率差分が超過しているときには即時に履歴データをホストコンピュータに送信する手段を備えていることを特徴とする食害計測端末装置。
【請求項２】
請求項１に記載の食害計測端末装置であって、
食害が進みやすい季節・時期には計測周期を短く、食害が進みにくい季節・時期には計測周期を長く設定する手段を備えていることを特徴とする食害計測端末装置。
【請求項３】
請求項１に記載の食害計測端末装置であって、
食害状況に応じて電気量が変化するセンサー手段までの配線の断線検査回路を備えていることを特徴とする食害計測端末装置。
【発明の詳細な説明】
【０００１】
【発明の属する技術分野】
本発明は、通信回線を介して食害管理センターと接続されることにより、白アリ等による食害状況を遠隔監視するのに適した食害計測端末装置に関する。
【０００２】
【従来の技術】
白アリによる木造住宅や木造建造物などの食害監視対象の食害の診断については、白アリの専門家がユーザー宅に赴き、床下に入って目視検査するのが一般的である。白アリの活動音を捕捉する方法もある。また、空洞音検査で食害状況を類推する方法もある。特公平４−２１４４９号公報に記載の白アリ検出方法は、白アリが食することを好む木材製の検査片を木造住宅等の周辺の土中に埋設しておき、定期的にサービスマンが検査片に食害痕が生じていないかどうかを目視検査するものである。
【０００３】
【発明が解決しようとする課題】
いずれにしても従来方式では、検査員が現地に赴いて検査しなければならないため、人件費が非常に高くつくとともに、多大な労力と時間とをかけざるを得ないものとなっていた。もし、検査員がなかなか来ない場合には、食害が相当に進行しているといった事態も発生しかねない。また、検査には専門知識と専門技術とを必要とし、人材の確保がむずかしいという問題もある。
【０００４】
本発明はこのような事情に鑑みて創案されたものであって、なるべく早期のうちに食害の兆候を発見することができ、しかも専門家がいちいち現場に赴く必要をなくして、食害の状況を自動的に計測し、かつ遠隔的に監視できる実用上非常に便利な食害計測端末装置を提供することを目的としている。
【０００５】
【課題を解決するための手段】
本発明にかかわる請求項１の食害計測端末装置は、食害状況に応じて変化する電気量のＡＤ値を周期的に計測する手段と、計測したＡＤ値データを計測時刻データとともに履歴データとしてストアする手段と、履歴データを定期的に通信回線を介して食害管理センターのホストコンピュータに送信する手段と、ＡＤ値の変化率を算出する手段と、変化率または変化率差分を所定のしきい値と比較して超過するときには計測周期を早める手段とを備えている食害計測端末装置であって、前記しきい値を第１のしきい値と読み替え、第１のしきい値よりも大きい第２のしきい値に対して変化率または変化率差分が超過しているときには即時に履歴データをホストコンピュータに送信する手段を備えている。食害状況を電気的すなわち自動的に捕捉するから、専門家による経験や勘に頼る必要がなく、きわめて容易に食害状況を把握することができる。また、周期的に計測した食害進行にかかわるＡＤ値データとその計測時刻データとの組み合わせからなる履歴データを蓄積し、定期的に通信回線を介して食害管理センターのホストコンピュータに送信し、ホストコンピュータを用いて食害の発生の兆候や食害の進行状況を診断するので、早期のうちに食害の兆候を発見することができる。また、遠隔監視であるから検査員を現地に派遣する必要がなく、人件費と時間と労力を軽減する。ホストコンピュータ側では多数の食害監視対象を一括管理でき、きわめて効率と精度の高い食害診断が行える。また、食害監視対象のユーザーにとってはイニシャルコストは高くかかるが、ランニングコストが安くてすみ、しかも食害の早期発見により駆除費用および修繕費用を大幅に軽減もしくは無料化することができる。しかも、食害の進行程度が大きくなっている場合であり、さっそくに駆除を実施することにより、食害が急激に広がってしまうことを未然に防止する。
【０００９】
本発明にかかわる請求項２の食害計測端末装置は、上記請求項１において、食害が進みやすい季節・時期には計測周期を短く、食害が進みにくい季節・時期には計測停止を含めて計測周期を長く設定する手段を備えている。電気的に計測しているので計測時には当然に電力を消費するが、計測周期を常に一定にするのではなく、食害が進みにくい季節・時期は計測周期を長くして計測頻度を少なくするので、電力消費を抑えることができ、電源として電池を用いるものでは電池寿命を長くすることができる。
【００１０】
本発明にかかわる請求項３の食害計測端末装置は、上記請求項１において、食害状況に応じて電気量が変化するセンサー手段までの配線の断線検査回路を備えている。ＡＤ値が異常になったとき、センサー手段の完全食害によるものか配線の断線によるものかの区別がつく。
【００１１】
【発明の実施の形態】
以下、本発明にかかわる白アリ食害計測端末装置の実施の形態を図面に基づいて詳細に説明する。
【００１２】
〔実施の形態１〕
図１は白アリの食害の遠隔監視システムの概略構成を示すブロック図である。木造住宅や神社・寺院等の木造建築などの白アリ食害監視対象１１において、白アリ食害計測端末装置１００を設置してあるとともに、この白アリ食害計測端末装置１００に白アリ食害センサー２００を電気的に接続してある。１２は電話機である。白アリ食害計測端末装置１００は電話回線１３を介して公衆電話回線網１４に接続されている。この公衆電話回線網１４には電信電話局の電話交換機も含まれている。管理会社１５に設置された白アリ食害管理センター１６においては、ホストコンピュータ１７のモデム１８が電話回線１９を介して公衆電話回線網１４に接続されている。
【００１３】
白アリ食害計測端末装置１００は、周期的に白アリ食害センサー２００による計測値を収集して履歴データを蓄積するとともに、その蓄積した履歴データを定期的または不定期的に公衆電話回線網１４を介して白アリ食害管理センター１６に送信するものである。
【００１４】
白アリ食害管理センター１６は、複数の白アリ食害監視対象１１と契約しており、各白アリ食害計測端末装置１００から送信されてくる履歴データに基づいて各白アリ食害監視対象１１における白アリ食害の発生の兆候の診断や白アリ食害の進行状況を遠隔監視するものである。
【００１５】
図２は実施の形態１にかかわる白アリ食害計測端末装置１００の電気的構成を示すブロック図である。白アリ食害計測端末装置１００は、主制御装置２０、ＮＣＵ（ネットワーク・コントロール・ユニット）３０、その他の要素から構成されている。主制御装置２０は、白アリ食害計測端末装置１００の全体の制御を司るＣＰＵ（中央演算処理装置）２１と、その制御のためのプログラムを格納しているＲＯＭ（リードオンリーメモリ）２２と、制御を補助するとともにデータを格納するＲＡＭ（ランダムアクセスメモリ）２３とを備えている。ＮＣＵ３０は、ノーリンギング動作する受信部３１と、オフフック制御回路３２と、ダイヤル送信部３３と、モデム３４と、接続切換回路３５とを備えている。
【００１６】
そして、電話回線１３に接続される入出力端子（モジュラープラグ）４１に対しては、上記のＮＣＵ３０における受信部３１と接続切換回路３５の各一端が接続されている。受信部３１の他端はＣＰＵ２１に接続されている。オフフック制御回路３２、ダイヤル送信部３３およびモデム３４の各一端はＣＰＵ２１に接続され、各他端は接続切換回路３５に接続されている。接続切換回路３５に入出力端子（モジュラージャック）４２が接続され、この入出力端子４２に一般の電話機１２が接続されるようになっている。つまり、白アリ食害計測端末装置１００を設置する前には電話回線１３の電話コンセントに直接に電話機１２を接続していたのを、切り離してつなぎ替えるのである。
【００１７】
主制御装置２０のＣＰＵ２１はインターフェイス５０および入力端子４３に接続され、この入力端子４３に白アリ食害センサー２００を接続するようになっている。このインターフェイス５０はＡ／Ｄ変換器を内蔵している。詳しくは図３で説明する。インターフェイス５０に内蔵のＡ／Ｄ変換器の精度（分解能）をチェックするための基準抵抗器５２が切換回路５３を介してインターフェイス５０のＡ／Ｄ変換器に接続されている。詳しくは図３で説明する。
【００１８】
切換回路５３の制御端子はＣＰＵ２１に接続されている。ＣＰＵ２１に接続されたインターフェイス５４は入力端子４４に接続され、この入力端子４４に送信スイッチ６１が接続されている。ＣＰＵ２１に接続されたインターフェイス５５は入力端子４５に接続され、この入力端子４５に設定器６２が接続されるようになっている。設定器６２は白アリ食害計測端末装置１００の設置工事時にのみ接続する。７１は白アリ食害計測端末装置１００の各部に電源を供給する電源電池であり、例えばリチウム電池が用いられる。
【００１９】
図３はインターフェイス５０と基準抵抗器５２と切換回路５３の具体的な回路構成を示す回路図である。インターフェイス５０は、ＣＰＵ２１の出力ポート２１ａと電源電池７１による直流電源Ｖｃｃとの間で直列に接続された抵抗ｒ１および抵抗ｒ２と、エミッタが直流電源Ｖｃｃに接続され、ベースが両抵抗ｒ１，ｒ２の接続点に接続されたＰＮＰ型のスイッチングトランジスタＱ１と、スイッチングトランジスタＱ１のコレクタに接続された抵抗ｒ３と、Ａ／Ｄ変換器５１とから構成されている。
【００２０】
切換回路５３は切換スイッチ５３ａで構成されており、そのコモン端子がコレクタ抵抗ｒ３の一端に接続され、ノーマリクローズ端子Ｎｃが入力端子４３を介して白アリ食害センサー２００（抵抗ｒ４）の一端に接続されている。白アリ食害センサー２００（抵抗ｒ４）の他端はアース端子４３ａに接続されている。切換スイッチ５３ａのノーマリオープン端子Ｎｏは基準抵抗器５２（抵抗ｒ５）の一端に接続され、基準抵抗器５２（ｒ５）の他端は接地されている。切換スイッチ５３ａはＣＰＵ２１の出力ポート２１ｂから出力される制御信号Ｓ１  によって切り換えられるようになっている。切換スイッチ５３ａのコモン端子とコレクタ抵抗ｒ３との接続点はＡ／Ｄ変換器５１の入力端子に接続され、Ａ／Ｄ変換器５１の出力端子はＣＰＵ２１の入力ポート２１ｃに接続されている。
【００２１】
図４は白アリ食害センサー２００の具体的構造を示す断面図である。白アリが食べることを好む種類の木材片８１の中心部をくり抜いており、その内部にカーボンを混合した導電性の素材をしみ込ませた木綿糸８２をコイル状にして配置してある。木綿糸８２にしみ込ませた導電性の素材は木材片８１にもしみ込んでおり、木綿糸８２と木材片８１とが抵抗を構成している。円錐台状の板金製のカバー８３の天板の下面に木材片８１を接着している。カバー８３の天板の上面に合成樹脂製のケース本体８４を載置固定してある。
【００２２】
木綿糸８２の両端に接続された２つのリード線８５（図では両者が重なっている）が、カバー８３の天板およびケース本体８４の底板を貫通してケース本体８４内に導かれている。ケース本体８４の周壁部を内外に貫通する２つの電極端子８６（図では２つが重なっている）に各リード線８５が接続されている。ケース本体８４は合成樹脂製の蓋体８７で水密的に被覆されており、雨水の浸入と白アリの侵入を防止している。カバー８３の円錐状の側面には周方向で適当間隔をあけて白アリが内部に入るようにするためのスリット８３ａが複数個形成されている。木材片８１およびカバー８３の底部を土中に埋めておく。８８は土表面である。
【００２３】
白アリは暗くて湿気の高い場所を好む。カバー８３の内側は土中からの湿気が充満し、また暗くなっている。さらに白アリが好む木材片８１が存在している。すなわち、白アリを内部へと誘い込むのである。白アリがスリット８３ａから内部に入り、木材片８１を食うと木綿糸８２も食われる。これにより、導電性素材の量が減り抵抗値が増加する。
【００２４】
白アリ食害センサー２００の木材片８１や木綿糸８２が食われることは白アリ食害監視対象１１である木造住宅や木造建築が食害されていることを直接的には意味しないが、その兆候を示すものであり、あるいはすでに実際に食害が発生しているかもしれない。白アリ食害センサー２００の抵抗値を計測し、その変化を白アリ食害管理センター１６において監視することにより、白アリによる食害の兆候を発見するのである。そこで、この際においては、白アリ食害センサー２００の抵抗値の増加あるいは増加の変化率がある程度以上になることをもって「食害」が発生しているものとみなすこととする。白アリ食害センサー２００においては、白アリによる食害が始まると急速に抵抗値が大きくなり、ついには断線するにいたる性格をもっている。
【００２５】
白アリ食害計測端末装置１００および白アリ食害センサー２００の設置が完了すると、工事作業者は入力端子４５に設定器６２を接続し、現在の日時の設定、当該白アリ食害計測端末装置１００のＩＤ番号（識別番号）の設定、白アリ食害管理センター１６の電話番号（発呼先電話番号）の設定、計測開始時刻の設定、計測周期の設定、白アリ食害管理センター１６に対する定期送信時刻の設定等を行う。これらのデータはＣＰＵ２１が取り込み、ＲＡＭ２３にストアする。各設定が終了すると、設定器６２を取り外す。なお、これらの設定を白アリ食害管理センター１６のホストコンピュータ１７から公衆電話回線網１４を介して行うことも可能である。以上の設定の結果、ＲＡＭ２３には図５に示すような管理テーブル２３ａが形成される。
【００２６】
白アリ食害センサー２００の抵抗値は、次のようにして計測される。まず、平常時には、切換スイッチ５３ａはノーマリクローズ端子Ｎｃ側に接続されているが、ＣＰＵ２１はその出力ポート２１ａからインターフェイス５０へ“Ｈ”レベルを出力しているため、ＰＮＰ型のスイッチングトランジスタＱ１はＯＦＦとなっている。計測時刻になると、ＣＰＵ２１は出力ポート２１ａを“Ｌ”レベルにするとともに入力ポート２１ｃからのデータ入力を行う。
【００２７】
そして、出力ポート２１ａが“Ｌ”レベルに切り換えられるとスイッチングトランジスタＱ１がＯＮとなり、直流電源ＶｃｃからスイッチングトランジスタＱ１→コレクタ抵抗ｒ３→切換スイッチ５３ａ→白アリ食害センサー２００（抵抗ｒ４）→グランドＧＮＤの経路で電流が流れ、コレクタ抵抗ｒ３とセンサー抵抗ｒ４との接続点に分圧電圧が発生する。分圧比は、ｒ４／（ｒ３＋ｒ４）となり、これをＡ／Ｄ変換器５１によりＡ／Ｄ変換したＡＤ値は、
【００２８】
【数１】
0003547606.tif 000002
【００２９】
となる。ＶｃｅはスイッチングトランジスタＱ１のコレクタ・エミッタ間電圧である。このＡＤ値のデータがＣＰＵ２１からＲＡＭ２３に送られ、計測時刻のデータとともに履歴データとして蓄積される。
【００３０】
なお、Ｖｃｅは０に近いので、（Ｖｃｃ−Ｖｃｅ）／Ｖｃｃ≒１である。したがって、具体的数値を代入して考えるときには、ＡＤ値を近似的に、
【００３１】
【数２】
0003547606.tif 000003
【００３２】
として計算すると分かりやすくなる。Ａ／Ｄ変換器５１が８ビットの場合、その分解能は２５６である。例えば、ｒ３＝１０００Ω、ｒ４＝１００Ωとすると、（数２）によると、
【００３３】
【数３】
0003547606.tif 000004
【００３４】
となる。白アリ食害が発生し、白アリ食害センサー２００（抵抗ｒ４）の抵抗値が増加して、例えば、ｒ４＝１５０Ωになったとすると、
【００３５】
【数４】
0003547606.tif 000005
【００３６】
となる。すなわち、抵抗値の増加に伴ってＡＤ値も増加する。抵抗値が１．５倍に増えたのに対して、ＡＤ値は１．４３５倍に増えており、ほぼ比例関係になっている。この比例関係を保つためには、コレクタ抵抗ｒ３の抵抗値を充分に大きくとればよい。ＡＤ値は前記の分圧比ｒ４／（ｒ３＋ｒ４）に対応したものであるが、コレクタ抵抗ｒ３の値を充分に大きくとることで、ＡＤ値を白アリ食害センサー２００（抵抗ｒ４）の抵抗値に実質的に対応したものとできる。
【００３７】
白アリ食害センサー２００は量産する場合に製造上、抵抗値にかなりのバラツキが発生することが考えられる。また、食害の発生しない場合でも、環境条件の変動（例えば梅雨場と冬場とでは湿度が大きく異なるし、夏場と冬場では温度が大きく異なり、抵抗値も差をもつ）や混合するカーボンの比率等により、ある程度の経時的変化が考えられる。そこで、白アリ食害計測端末装置１００および白アリ食害センサー２００の設置時において、工事作業者は送信スイッチ６１を押すのである。このときの動作を図６のフローチャートに基づいて説明する。
【００３８】
送信スイッチ６１が押されると主制御装置２０のＣＰＵ２１に割り込みがかかる。ＣＰＵ２１は割り込みがかかると、ステップＳ１において出力ポート２１ｂから制御信号Ｓ１  を出力して切換スイッチ５３ａをノーマリオープン端子Ｎｏ側に切り換え接続し、コレクタ抵抗ｒ３に基準抵抗器５２（ｒ５）を直列に接続した状態とする。ステップＳ２において出力ポート２１ａを“Ｌ”レベルに反転することによりスイッチングトランジスタＱ１をＯＮにする。ステップＳ３において入力ポート２１ｃよりＡ／Ｄ変換器５１からの基準抵抗器５２（ｒ５）についてのＡＤ値データを読み込み、ステップＳ４において計測時刻データとともにＡＤ値データをＲＡＭ２３にストアする。
【００３９】
ステップＳ５において制御信号Ｓ１  を反転して切換スイッチ５３ａをノーマリクローズ端子Ｎｃ側に切り換え接続し、コレクタ抵抗ｒ３に白アリ食害センサー２００（抵抗ｒ４）を直列に接続した状態へ戻す。ステップＳ６において入力ポート２１ｃよりＡ／Ｄ変換器５１からの白アリ食害センサー２００（抵抗ｒ４）についてのＡＤ値データを読み込み、ステップＳ７において計測時刻データとともにＡＤ値データをＲＡＭ２３にストアする。
【００４０】
ステップＳ８において出力ポート２１ａを“Ｈ”レベルに戻してスイッチングトランジスタＱ１をＯＦＦにし、ステップＳ９においてＲＡＭ２３からステップＳ４，Ｓ７でストアした基準抵抗器５２（ｒ５）と白アリ食害センサー２００（抵抗ｒ４）の計測時刻データとＡＤ値データおよび当該の白アリ食害計測端末装置１００のＩＤ番号データを読み出して公衆電話回線網１４を介して白アリ食害管理センター１６のホストコンピュータ１７に送信する。送信するときには発呼先電話番号も読み出す。ステップＳ１０において割り込み時の元のステップにリターンする。この白アリ食害計測端末装置１００からホストコンピュータ１７へのデータ送信の具体的な動作については後述する図８のフローチャートを参照されたい。
【００４１】
ホストコンピュータ１７は受信したデータを格納する。すなわち、設置時の基準抵抗器５２（ｒ５）と白アリ食害センサー２００（抵抗ｒ４）のＡＤ値データを初期値データとして計測時刻データ・ＩＤ番号データとともに格納し、あとで白アリ食害判定の際に、基準抵抗値ｒ５に対するセンサー抵抗値ｒ４の比を勘案して白アリ食害センサー２００のバラツキを吸収する。つまり、基準抵抗値ｒ５に基づいて補正を行う。
【００４２】
次に、白アリ食害計測端末装置１００の動作を図７のフローチャートに基づいて説明する。ＣＰＵ２１はステップＳ１１において割り込みの許可を行い、ステップＳ１２において計測時刻になったかどうかを判断する。この判断は、前回の計測時刻から管理テーブル２３ａに記憶している周期（３日＝７２時間）が経過したかどうかで行う。計測時刻になっていないと判断したときはステップＳ１６に進む。ステップＳ１６では定期送信時刻になったかどうかを判断するが、複数回の計測が行われたあとで定期送信時刻になるので、ステップＳ１６の判断は否定的となり、ステップＳ１２に戻る。
【００４３】
ステップＳ１２の判断において計測時刻になったときはステップＳ１３に進み、ＣＰＵ２１はスイッチングトランジスタＱ１をＯＮにし、白アリ食害センサー２００（抵抗ｒ４）に電流を流す。ステップＳ１４においてＡ／Ｄ変換器５１からのセンサー抵抗ｒ４についてのＡＤ値データを読み込み、ステップＳ１５において計測時刻データとともにＡＤ値データをＲＡＭ２３にストアし、履歴データとする。そして、ステップＳ１６に進んで定期送信時刻になったかどうかを判断する。定期送信時刻になるまでは、ステップＳ１２〜Ｓ１６のサイクルを周期的に繰り返す。これにより、７２時間ごとにＡＤ値データがそれぞれの計測時刻データとともにストアされ、履歴データが蓄積されていく。
【００４４】
図９はＲＡＭ２３における履歴データテーブル２３ｂの様子を示す。計測時刻データとＡＤ値データとが対応して記憶されている。日時の経過とともにやがてステップＳ１６の判断が肯定的となる。すなわち、定期送信時刻に達する。定期送信時刻に達したかどうかの判断は、ＲＯＭ２２にプログラムされているカレンダー機能とＣＰＵ２１に内蔵のタイマー機能とによって現在時刻が管理テーブル２３ａに定めた定期送信の日時と一致するに至ったかどうかで行う。判断の結果、定期送信時刻に達したときにはステップＳ１７に進んでＲＡＭ２３にストアしている履歴データおよびＩＤ番号データをモデム３４から公衆電話回線網１４を介して管理会社１５の白アリ食害管理センター１６のホストコンピュータ１７に送信する。ステップＳ１８において履歴データの送信が終了したと判断したときはステップＳ１９に進んでＲＡＭ２３から履歴データをクリアし、再びステップＳ１２に戻って計測時刻になるのを待つ。
【００４５】
ステップＳ１７の履歴データの送信の詳しいサブルーチンのフローチャートを図８に示す。ステップＳ１７ａにおいてＣＰＵ２１は接続切換回路３５を制御して電話機１２を電話回線１３から切り離し、ステップＳ１７ｂにおいて白アリ食害計測端末装置１００を電話回線１３に接続し、ステップＳ１７ｃにおいてオフフック制御回路３２を制御してオフフックを行って公衆電話回線網１４の電話交換機に対する発呼信号を送信し、ステップＳ１７ｄにおいて電話交換機からのダイヤルトーン信号を受信部３１が受信するの待ってステップＳ１７ｅに進み、管理テーブル２３ａから白アリ食害管理センター１６の電話番号である発呼電話番号データを読み出し、ステップＳ１７ｆにおいてダイヤル送信部３３を制御して発呼電話番号でダイヤルする。
【００４６】
そして、ステップＳ１７ｇにおいて呼び出し検出を待ってステップＳ１７ｈに進み、管理テーブル２３ａより当該白アリ食害計測端末装置１００のＩＤ番号データを読み出し、ステップＳ１７ｉにおいて履歴データテーブル２３ｂより計測時刻データとＡＤ値データの組み合わせからなる履歴データを読み出し、ステップＳ１７ｊにおいて読み出したＩＤ番号データおよび履歴データをモデム３４より公衆電話回線網１４を介して白アリ食害管理センター１６のホストコンピュータ１７に送信する。ステップＳ１７ｋにおいて送信完了を待ってステップＳ１７ｍに進み、オフフック制御回路３２を制御してオンフックを行い、ステップＳ１７ｎにおいて接続切換回路３５を制御して白アリ食害計測端末装置１００を電話回線１３より切り離し、ステップＳ１７ｏにおいて電話機１２を電話回線１３に接続する。
【００４７】
白アリ食害管理センター１６におけるホストコンピュータ１７は受信したＩＤ番号データと履歴データを外部記録装置にデータベース化して格納する。そして、履歴データに対して所要の演算を行って、白アリ食害の発生状況を判断する。このとき、あらかじめ受信して格納してあった基準抵抗値ｒ５に対するセンサー抵抗値ｒ４の比に基づいて履歴データの補正を行う。食害発生がなかったときはユーザー宅にその旨を葉書等で通知する。食害発生を診断するに至ったときはパソコンモニターに警報を表示するようにする。そして、ＩＤ番号のユーザー宅に白アリ食害の発生を知らせるとともに、駆除会社に連絡をとり、白アリ食害発生の初期の段階から必要な対策を講じる。
【００４８】
以上のように、電気的に白アリ食害の状況を恒常的に計測するから、従来の場合のように目視して観察する必要がない。特に、白アリ食害計測端末装置１００と白アリ食害管理センター１６とを公衆電話回線網１４を介して接続し、白アリ食害センサー２００の抵抗値を計測した履歴データを白アリ食害管理センター１６のホストコンピュータ１７に送信することで、白アリ食害管理センター１６においてユーザー宅の白アリ食害の状況を遠隔的に監視しているので、専門家がいちいち現場に行く労力を削減することができ、効率の良い監視が行える。さらに多数のユーザー宅についての白アリ食害監視を白アリ食害管理センター１６で一括管理することができる。
【００４９】
白アリ食害はいつ発生するか分からない。白アリ食害センサー２００の抵抗値は食害がなくても経年変化を生じる。また、季節によっても変化する。抵抗値は温度や湿度に影響されやすいからである。そこで、ユーザー宅の住人に定期的に送信スイッチ６１を押してもらう。これにより、補正のために必要な基準抵抗値ｒ５に対するセンサー抵抗値ｒ４の比のデータを白アリ食害管理センター１６のホストコンピュータ１７側において常に更新しておく。
【００５０】
〔実施の形態２〕
図１０は白アリ食害センサー２００（抵抗ｒ４）の抵抗値の時間的変化を示すグラフである。点線は食害が発生していない場合の変化であり、実線は食害が発生した場合の変化である。計測時刻ｔ１  での抵抗値はいずれの場合もｒ４＝Ｒ１  、計測時刻ｔ２  での抵抗値はいずれの場合もＲ２  、計測時刻ｔ３  での抵抗値は食害未発生の場合でＲ３  、食害発生の場合でＲ３′、計測時刻ｔ４  での抵抗値は食害未発生の場合でＲ４  、食害発生の場合でＲ４′とする。
【００５１】
計測時間帯Ｔ１  における抵抗値の変化率α１  は、
【００５２】
【数５】
0003547606.tif 000006
【００５３】
である。計測時間帯Ｔ２  における食害未発生の場合の抵抗値の変化率α２  は、
【００５４】
【数６】
0003547606.tif 000007
【００５５】
であり、計測時間帯Ｔ２  における食害発生の場合の抵抗値の変化率α２′は、
【００５６】
【数７】
0003547606.tif 000008
【００５７】
である。また、計測時間帯Ｔ３  における食害未発生の場合の抵抗値の変化率α３は、
【００５８】
【数８】
0003547606.tif 000009
【００５９】
であり、計測時間帯Ｔ３  における食害発生の場合の抵抗値の変化率α３′は、
【００６０】
【数９】
0003547606.tif 000010
【００６１】
である。上記では抵抗値で説明しているが、抵抗値は計測されるＡＤ値と対応しており、ＡＤ値での計算も実質的に同一である。
【００６２】
食害が発生していないときの抵抗値（ＡＤ値）の変化率α１  とα２  とα３  とは互いにほぼ一定であり、その値も小さい。食害が発生したときの変化率α２  ′はα１  よりも大きくなっている。食害がさらに進行したときの変化率α３′はα２′よりもさらに大きくなっている。
【００６３】
白アリ食害の兆候があると判断されるときには、より正確な計測が必要となるはずである。すなわち、白アリ食害の進行程度をより精密に監視する必要がでてくる。実施の形態２にかかわる白アリ食害計測端末装置１００はこれに対処するものであり、ＡＤ値の変化率が所定のしきい値Ｔｈ１  を超えて増加したときは、計測周期を早めるように構成する。
【００６４】
まず、あらかじめ、白アリ食害管理センター１６のホストコンピュータ１７から公衆電話回線網１４を介して白アリ食害計測端末装置１００に対して、標準周期Ｎ０  のデータと早めるときの計測周期Ｎ１  のデータとしきい値Ｔｈ１  のデータとを送信し、ＲＡＭ２３の管理テーブル２３ａに設定しておく。なお、ＩＤ番号データ、発呼電話番号データ、計測開始時刻のデータ、定期送信時刻のデータも併せて送信により設定してもよい。
【００６５】
そして、ホストコンピュータ１７からのノーリンギングでの着信信号を受信部３１で受信すると、ＣＰＵ２１は割り込み処理によって接続切換回路３５を制御して電話機１２を電話回線１３から切り離し、白アリ食害計測端末装置１００を電話回線１３に接続し、オフフック制御回路３２を制御してオフフックを行い、モデム３４を介して受信した標準周期Ｎ０  と早める周期Ｎ１  としきい値Ｔｈ１  のデータその他のデータを取り込み、ＲＡＭ２３の管理テーブル２３ａに図１１のように取り込んだデータをストアする。受信の完了によりオフフック制御回路３２を制御してオンフックを行った後、接続切換回路３５を制御して白アリ食害計測端末装置１００を電話回線１３より切り離したうえ、電話機１２を電話回線１３に接続する。
【００６６】
実施の形態２の白アリ食害計測端末装置１００の動作を図１２のフローチャートに基づいて説明する。ＣＰＵ２１はステップＳ２１において割り込みの許可を行い、ステップＳ２２において計測周期の変数Ｎとして管理テーブル２３ａから標準周期Ｎ０  （３日＝７２時間）を読み出してセットし、ステップＳ２３において計測時刻になったかどうかを判断する。この判断は、前回の計測時刻から変数Ｎにセットしている標準周期Ｎ０  が経過したかどうかで行う。計測時刻になっていないと判断したときはステップＳ３１に進むが、計測時刻になったときはステップＳ２４に進み、ＣＰＵ２１はスイッチングトランジスタＱ１をＯＮにし、白アリ食害センサー２００（抵抗ｒ４）に電流を流す。ステップＳ２５においてＡ／Ｄ変換器５１からのセンサー抵抗ｒ４についてのＡＤ値データを読み込み、ステップＳ２６において計測時刻データとともにＡＤ値データをＲＡＭ２３にストアし、履歴データとする。
【００６７】
そして、ステップＳ２７において計測周期の変数ＮがＮ１  にセットされているかどうかを判断し、セットされていないときすなわち変数ＮがＮ０  のままのときはステップＳ２８に進んでＡＤ値の変化率αを算出し、ステップＳ２９において変化率αがしきい値Ｔｈ１  より大きくなったかどうかを判断する。変化率αがしきい値Ｔｈ１  以下であるときはステップＳ３１に進むが、しきい値Ｔｈ１  を超えたときにはステップＳ３０に進んで計測周期の変数Ｎとして管理テーブル２３ａから早める周期Ｎ１  （２日＝４８時間）を読み出してセットし、ステップＳ３１に進む。ステップＳ３１において定期送信時刻になったかどうかを判断する。定期送信時刻になるまでは、ステップＳ２３〜Ｓ３１のサイクルを周期的に繰り返す。ステップＳ２７は、一旦、計測周期の変数Ｎとして早める周期Ｎ１  をセットした後は、変化率αの算出のステップＳ２８やしきい値Ｔｈ１  との比較のステップＳ２９をスキップするためである。
【００６８】
標準周期Ｎ０  のときの履歴データは７２時間ごとのものとなり、早める周期Ｎ１  のときの履歴データは４８時間ごとのものとなる。日時の経過とともにやがてステップＳ３１の定期送信時刻に達したかどうかの判断が肯定的となりステップＳ３２に進んでＲＡＭ２３にストアしている履歴データおよびＩＤ番号データをモデム３４から公衆電話回線網１４を介して管理会社１５の白アリ食害管理センター１６のホストコンピュータ１７に送信する。ステップＳ３３において履歴データの送信が終了したと判断したときはステップＳ３４に進んでＲＡＭ２３から履歴データをクリアし、再びステップＳ２２に戻って計測周期の変数Ｎとして標準周期Ｎ０  をセットする。
【００６９】
以上により、白アリ食害の兆候がでてきたときには、計測頻度を多くすることにより、白アリ食害管理センター１６において白アリ食害の進行程度をより正確に把握することができ、きめ細かな用心深い対策を早めに講じることができる。白アリ食害が急激に広がってしまうことを未然に防止することができる。
【００７０】
変形例として、ＡＤ値の変化率αの程度に応じて早める周期をＮ１とＮ２  との２段階（Ｎ１  ＞Ｎ２  ）に切り換えるようにすることもできる。例えば、Ｎ１  として２日（４８時間）を設定し、Ｎ２  として１日（２４時間）を設定すればよい。この場合、図１２のステップＳ２９からステップＳ３０までを図１３のステップＳ２９ａからステップＳ３０ｂまでのように変更すればよい。ただし、図１２のステップＳ２７は、Ｎ＝Ｎ１  またはＮ＝Ｎ２  の判断とする。しきい値Ｔｈ１′はＴｈ１  よりも大きい。
【００７１】
また、ＡＤ値の変化率αのいかんで計測周期を早めるかどうかを決める代わりに、変化率差分βに応じて計測周期を早めるようにしてもよい。図１４に、ＡＤ値と変化率αと変化率差分βとの関係の一例を示す。（ａ）は変動が小さい場合であり、（ｂ）は変動が大きい場合である。変化率差分βでみると、急激な変化点を見つけやすいという利点がある。
【００７２】
変化率差分βのいかんによって計測周期を可変する場合の制御は、図１２に対しては図１５が該当し、図１３に対しては図１６が該当する。図１５においては、ステップＳ２８の次に、算出した変化率αをＲＡＭ２３にストアするステップＳ２８ａと、今回の変化率と前回の変化率の差分を変化率差分βとして算出するステップＳ２８ｂが付け加えられている。また、ステップＳ２９は変化率差分βが所定のしきい値よりも大きくなったかどうかを判断するようにしている。
【００７３】
〔実施の形態３〕
実施の形態３にかかわる白アリ食害計測端末装置１００は、ＡＤ値の変化率αのしきい値として第１のしきい値Ｔｈ１  とこれより大きい第２のしきい値Ｔｈ２とをもち（Ｔｈ１  ＜Ｔｈ２  ）、変化率αが第１のしきい値Ｔｈ１  よりも大きいが第２のしきい値Ｔｈ２  以下のときには計測周期を早めるようにし、さらに変化率αが大きくなって第２のしきい値Ｔｈ２  よりも大きくなったときには、白アリ食害の進行程度が相当に大きいものとして、ＡＤ値の測定の繰り返しを中断し、直ちにそれまで蓄積していた履歴データをホストコンピュータ１７に送信するように構成したものである。
【００７４】
まず、あらかじめ、白アリ食害管理センター１６のホストコンピュータ１７から公衆電話回線網１４を介して白アリ食害計測端末装置１００に対して、標準周期Ｎ０  のデータと早めるときの計測周期Ｎ１  のデータと第１のしきい値Ｔｈ１  および第２のしきい値Ｔｈ２  のデータとを送信し、図１７に示すように、ＲＡＭ２３の管理テーブル２３ａに設定しておく。
【００７５】
実施の形態３の白アリ食害計測端末装置１００の動作を図１８のフローチャートに基づいて説明する。このフローチャートは、図１２のフローチャートにおいて、そのステップＳ２８とステップＳ２９との間にステップＳ２８ｃを付け加えたものである。ステップＳ２８ｃにおいてＡＤ値の変化率αが第２のしきい値Ｔｈ２  よりも大きいかどうかを判断し、以下であるときはステップＳ２９に進んで実施の形態２の場合と同様に変化率αが第１のしきい値Ｔｈ１  よりも大きいかどうかを判断する。
【００７６】
そのあとの動作は実施の形態２の場合と同様である。しかし、ステップＳ２８ｃにおいて変化率αが第２のしきい値Ｔｈ２  よりも大きいときは、ステップＳ２９やステップＳ３０やステップＳ３１をスキップしてステップＳ３２の処理に進むのである。すなわち、定期送信時刻が到来するのを待つのではなく、直ちに、ステップＳ３２に進んでＲＡＭ２３にストアしている履歴データおよびＩＤ番号データをモデム３４から公衆電話回線網１４を介して白アリ食害管理センター１６のホストコンピュータ１７に送信するのである。
【００７７】
すなわち、ＡＤ値の変化率αが第２のしきい値Ｔｈ２  を超えるような事態にあっては、次の定期送信時刻まで待っていると白アリ食害の進み具合が深刻になるおそれがあるので、どのようなレベルの白アリ食害状況であるかを直ちに確認するために、白アリ食害管理センター１６に履歴データを送信したうえ、白アリ食害管理センター１６で早期診断を行うのである。
【００７８】
なお、図１８のフローチャートに図１３の各ステップを合成してもよいことはもちろんであり。また、ＡＤ値の変化率αではなく変化率差分βで判断するときには、図１９のフローチャートに従って制御すればよい。この場合にも、図１６の各ステップを合成してもよい。
【００７９】
〔実施の形態４〕
実施の形態４にかかわる白アリ食害計測端末装置１００は、季節によって計測周期を早めたり遅くしたりするものである。白アリは暖かい季節ほど活発であり、寒くなると活動が鈍くなるので、当然に白アリ食害も暖かい季節ほど発生しやすいことになるが、地域の条件や年々の気候変動によっても暖かい時期と寒い時期は変化する。
【００８０】
そこで、まず、白アリ食害管理センター１６のホストコンピュータ１７から公衆電話回線網１４を介して白アリ食害計測端末装置１００に対して、暖季の開始日Ｗ１  と終了日Ｗ２  のデータと暖季標準周期ＮＷ  のデータと寒季の開始日Ｃ１  と終了日Ｃ２  のデータと寒季標準周期ＮＣ  のデータを他のデータとともに送信し、図２０に示すように、ＲＡＭ２３の管理テーブル２３ａに設定しておく。ここでは、例えば４月から８月にかけては白アリの活動が活発であり、９月から翌年の３月にかけては活動が鈍くなるものとし、Ｗ１  を４月１日に設定し、Ｗ２  を８月３１日に設定し、Ｃ１  を９月１日に設定し、Ｃ２  を３月３１日に設定するものとする。また、暖季標準周期ＮＷ  として例えば３日（７２時間）を設定し、寒季標準周期ＮＣ  として例えば１０日（２４０時間）を設定するものとする。
【００８１】
実施の形態４の白アリ食害計測端末装置１００の動作を図２１のフローチャートに基づいて説明する。このフローチャートは、図１８のフローチャートにおいて、そのステップＳ２１とステップＳ２２との間にステップＳ２１ａとステップＳ２１ｂとステップＳ２１ｃとを付け加えたものである。ステップＳ２１ａにおいてＣＰＵ２１はそのカレンダ機能を用いて現在の季節が４月１日（Ｗ１  ）から８月３１日（Ｗ２  ）までの間にあるかどうかを判断し、判断が肯定的となるときはステップＳ２１ｂに進んでＲＡＭ２３の管理テーブル２３ａから暖季標準周期ＮＷ  （３日）を読み出して、これを計測周期として設定し、ステップＳ２２へ進む。また、９月１日（Ｃ１  ）から３月３１日（Ｃ２  ）までの間にあるときはステップＳ２１ｃに進んで管理テーブル２３ａから寒季標準周期ＮＣ  （１０日）を読み出して、これを計測周期として設定し、ステップＳ２２へ進む。ステップＳ２３の計測時刻になったかどうかの判断は、前回の計測時刻から現在設定されている計測周期の時間が経過したかどうかによって行う。その他は実施の形態３の場合と同様である。
【００８２】
図２２のフローチャートのように動作させてもよい。このフローチャートは図１９のフローチャートに対応したものであり、上記と同様にステップＳ２１ａ，Ｓ２１ｂ，Ｓ２１ｃを付け加えたものである。
【００８３】
寒季標準周期ＮＣ  が設定されている期間においては、白アリ食害センサー２００の抵抗値のＡＤ値データの計測の間隔が長い。つまり、スイッチングトランジスタＱ１をＯＮにして、コレクタ抵抗ｒ３およびセンサー抵抗ｒ４に電流を流す機会（頻度）が少ない。したがって、電源電池７１の電流消費が大幅に抑制され、電池寿命を延ばすことができる。なお、白アリ食害管理センター１６においては、地域差やある期間の気象状況を勘案して、必要に応じて、暖季の開始日Ｗ１  、終了日Ｗ２  、暖季標準周期ＮＷ  、あるいは寒季の開始日Ｃ１  、終了日Ｃ２  、寒季標準周期ＮＣ  を適宜に設定変更するものとする。
【００８４】
変形例として、寒季に該当するときには白アリ食害センサー２００による計測を停止するようにプログラムを組んでもよい。この場合は、図２１、図２２で鎖線の矢印で示すように、ステップＳ２１ａの判断が否定的のときはステップＳ２１に戻るようにすればよい。
【００８５】
ところで、図２１および図２２のフローチャートにおいて、変化率αや変化率差分βがかなり大きいときに直ちに履歴データをホストコンピュータ１７に送信するルーチンを省略してもよいし、変化率αや変化率差分βがある程度に大きいときに計測周期を早めるルーチンを省略してもよいことは勿論である。
【００８６】
〔実施の形態５〕
白アリ食害により白アリ食害センサー２００が断線状態になるとその抵抗値は無限大となり、そのＡＤ値は最大となる。しかし、白アリ食害センサー２００と入力端子４３およびアース端子４３ａを接続する長い配線のいずれかの箇所で断線が生じると、同様にＡＤ値が最大となる。ＡＤ値が最大となったことが、白アリ食害センサー２００の高度の食害によるものなのか、それとも配線の断線によるものかは、図３の回路構成の場合には分からない。
【００８７】
実施の形態５にかかわる白アリ食害計測端末装置１００は、入力端子４３およびアース端子４３ａと白アリ食害センサー２００とを接続するラインの断線検査についてのものであり、図２３には断線検査回路９０とその周辺の回路構成を示している。この断線検査回路９０は、第１の切換スイッチ９１と第２の切換スイッチ９２とダイオード９３とを備えている。第１の切換スイッチ９１のノーマリクローズ端子Ｎｃと第２の切換スイッチ９２のノーマリオープン端子Ｎｏとが接続され、その接続点が入力端子４３に接続されている。
【００８８】
第１の切換スイッチ９１のノーマリオープン端子Ｎｏと第２の切換スイッチ９２のノーマリクローズ端子Ｎｃとが接続され、その接続点がアース端子４３ａに接続されている。第１の切換スイッチ９１のコモン端子は切換スイッチ５３ａのノーマリクローズ端子Ｎｃに接続され、第２の切換スイッチ９２のコモン端子はグランドＧＮＤに接続されている。第１の切換スイッチ９１と第２の切換スイッチ９２とはＣＰＵ２１からの制御信号Ｓ２  によって同時的に切り換え制御されるようになっている。白アリ食害センサー２００の一端と入力端子４３とが配線９４を介して接続され、他端とアース端子４３ａとが配線９５を介して接続されている。すなわち、図４の２つの電極端子８６に配線９４，９５が接続されている。これらの配線９４，９５は長いものである。白アリ食害センサー２００の近傍において白アリ食害センサー２００に並列にダイオード９３が接続されている。白アリ食害管理センター１６のホストコンピュータ１７は、毎月決まった日に公衆電話回線網１４を介して白アリ食害計測端末装置１００に断線検査の命令を与える。あるいは断線検査の開始日と周期（例えば３０日）のデータを送信し、ＲＡＭ２３にストアさせておく。そこで、断線検査の命令を受信したとき、あるいは、断線検査時刻になったときに断線検査割り込みがかかることになる。
【００８９】
断線検査割り込みの動作を図２４のフローチャートに基づいて説明する。ＣＰＵ２１はステップＳ４１において制御信号Ｓ２  を出力して断線検査回路９０の第１の切換スイッチ９１および第２の切換スイッチ９２をそれぞれノーマリオープン端子Ｎｏ側に切り換え接続する。ステップＳ４２においてスイッチングトランジスタＱ１をＯＮにして、直流電源Ｖｃｃからの電流をスイッチングトランジスタＱ１→コレクタ抵抗ｒ３→切換スイッチ５３ａ→第１の切換スイッチ９１のノーマリオープン端子Ｎｏ→アース端子４３ａ→ダイオード９３→入力端子４３→第２の切換スイッチ９２のノーマリオープン端子Ｎｏ→グランドＧＮＤの経路で流す。センサー抵抗ｒ４はダイオード９３によって短絡状態となるから、センサー抵抗ｒ４は無関係になる。配線９４，９５が断線してないときはＡ／Ｄ変換器５１の入力端子がダイオード９３を介してグランドＧＮＤに接続されることになるため、ＡＤ値は最小となる。しかし、この状態でもし配線９４，９５のいずれかの箇所が断線していると、ＡＤ値は最大となる。
【００９０】
ＣＰＵ２１はステップＳ４３においてＡ／Ｄ変換器５１によるＡＤ値データを入力し、ステップＳ４４においてＡＤ値が最大値かどうかによって配線９４，９５に断線が発生しているかどうかを判断する。ＡＤ値が最大値のときはステップＳ４５に進んで断線フラグＦｃを“１”にセットし、ＡＤ値が最大値でないときはステップＳ４６に進んで断線フラグＦｃを“０”にセットする。次いで、ステップＳ４７においてスイッチングトランジスタＱ１をＯＦＦにし、ステップＳ４８において制御信号Ｓ２  を反転して第１の切換スイッチ９１と第２の切換スイッチ９２をノーマリクローズ端子Ｎｃ側に戻す。ステップＳ４９において断線フラグＦｃが“１”にセットされているかどうかを判断し、“１”のときはステップＳ５０に進んで断線コードとＩＤ番号データとを公衆電話回線網１４を介してホストコンピュータ１７に送信し、断線フラグＦｃが“０”のときはステップＳ５１に進んで非断線コードとＩＤ番号データとをホストコンピュータ１７に送信し、ステップＳ５２において割り込み前のステップにリターンする。そして、断線コードを受け取った白アリ食害管理センター１６は、メンテナンス要員をユーザー宅に派遣して修理を行う。
【００９１】
なお、上記の実施の形態では白アリ食害センサー２００（抵抗ｒ４）を１つだけとしているが、白アリ食害監視対象１１である木造住宅等の周囲に複数個の白アリ食害センサーを配置することが好ましい。その場合に、各白アリ食害センサーを１つずつＡ／Ｄ変換器を介してＣＰＵに接続するのがよい。ただし、複数個の白アリ食害センサーをすべて直列に接続して、それらを１つのＡ／Ｄ変換器に接続するのでもよい。
【００９２】
上記の実施の形態では白アリ食害の計測端末装置として説明したが、本発明はこれに限定するものではなく、白アリ以外の昆虫による食害、鹿などの動物による食害の計測端末装置としても実施可能である。食害の状況に応じて変化する抵抗値をＡ／Ｄ変換したＡＤ値で監視するようにしたが、抵抗値ではなく電流値や電圧値のＡＤ値で監視するようにしてもよい。
【００９３】
【発明の効果】
本発明にかかわる請求項１の食害計測端末装置によれば、食害状況を電気的すなわち自動的に捕捉するから、専門家による経験や勘に頼る必要がなく、きわめて容易に食害状況を把握することができる。周期的に計測した食害進行にかかわる履歴データを蓄積し、定期的に通信回線を介して食害管理センターのホストコンピュータに送信するもので、ホストコンピュータを用いて食害の発生の兆候や食害の進行状況を効率良くかつ高精度に診断することを通じて早期のうちに食害の兆候を発見することができる。食害の早期発見により駆除費用および修繕費用を大幅に軽減もしくは無料化することができる。食害管理センターにとっては、遠隔監視であるから検査員を現地に派遣する必要がなく、人件費と時間と労力を軽減することができるし、多数の食害監視対象を一括管理できる。加えて、食害の進行程度がかなり大きくなっている場合には、直ちに履歴データをホストコンピュータに送信することを通じて、さっそくに駆除を実施することにより、食害が急激に広がってしまうことを未然に防止することができる。
【００９５】
本発明にかかわる請求項２の食害計測端末装置によれば、計測周期を常に一定にするのではなく、食害が進みにくい季節・時期は計測周期を長くして計測頻度を少なくするので、電力消費を抑えることができ、電源として電池を用いるものでは電池寿命を長くすることができる。本発明にかかわる請求項３の食害計測端末装置によれば、ＡＤ値が異常になったときに断線検査回路を駆動することにより、ＡＤ値の異常がセンサー手段の完全食害によるものか配線の断線によるものかの区別をつけることができる。
【図面の簡単な説明】
【図１】本発明の実施の形態にかかわる白アリの食害の遠隔監視システムの概略構成を示すブロック図である。
【図２】実施の形態１にかかわる白アリ食害計測端末装置の電気的構成を示すブロック図である。
【図３】実施の形態１にかかわる白アリ食害センサーにつながるインターフェイスとその周辺の回路構成を示す回路図である。
【図４】実施の形態１にかかわる白アリ食害センサーの具体的構造を示す断面図である。
【図５】実施の形態１における管理テーブルの図である。
【図６】実施の形態１において基準抵抗値とセンサー抵抗値のＡＤ値データを計測するときの動作を示すフローチャートである。
【図７】実施の形態１における白アリ食害計測端末装置の動作を示すフローチャートである。
【図８】実施の形態１におけるホストコンピュータへのデータ送信の動作を示すフローチャートである。
【図９】実施の形態１における履歴データテーブルの図である。
【図１０】白アリ食害センサーの抵抗値の時間的変化を示すグラフである。
【図１１】実施の形態２における管理テーブルの図である。
【図１２】実施の形態２における白アリ食害計測端末装置の動作を示すフローチャートである。
【図１３】実施の形態２の変形の形態の場合のフローチャートの一部である。
【図１４】ＡＤ値の変化率と変化率差分との関係を示す図である。
【図１５】実施の形態２の変形の形態としてのフローチャートである。
【図１６】図１５の場合のさらに変形の形態の場合のフローチャートの一部である。
【図１７】実施の形態３における管理テーブルの図である。
【図１８】実施の形態３における白アリ食害計測端末装置の動作を示すフローチャートである。
【図１９】実施の形態３の変形の形態の場合のフローチャートである。
【図２０】実施の形態４における管理テーブルの図である。
【図２１】実施の形態４における白アリ食害計測端末装置の動作を示すフローチャートである。
【図２２】実施の形態４の変形の形態の場合のフローチャートである、
【図２３】実施の形態５における断線検査回路とその周辺の回路構成を示す回路図である。
【図２４】実施の形態５における断線検査割り込みのフローチャートである。
【符号の説明】
１１……白アリ食害監視対象
１４……公衆電話回線網
１６……白アリ食害管理センター
１７……ホストコンピュータ
２０……主制御装置
２１……ＣＰＵ
２３……ＲＡＭ
２３ａ…管理テーブル
２３ｂ…履歴データテーブル
３０……ＮＣＵ
５１……Ａ／Ｄ変換器
５２……基準抵抗器
５３……切換回路
５３ａ…切換スイッチ
６１……送信スイッチ
７１……電源電池
９０……断線検査回路
９１……第１の切換スイッチ
９２……第２の切換スイッチ
９３……ダイオード
９４……配線
９５……配線
１００……白アリ食害計測端末装置
２００……白アリ食害センサー
【図１】
0003547606.tif 000011
【図２】
0003547606.tif 000012
【図３】
0003547606.tif 000013
【図４】
0003547606.tif 000014
【図５】
0003547606.tif 000015
【図６】
0003547606.tif 000016
【図７】
0003547606.tif 000017
【図８】
0003547606.tif 000018
【図９】
0003547606.tif 000019
【図１０】
0003547606.tif 000020
【図１１】
0003547606.tif 000021
【図１２】
0003547606.tif 000022
【図１３】
0003547606.tif 000023
【図１４】
0003547606.tif 000024
【図１５】
0003547606.tif 000025
【図１６】
0003547606.tif 000026
【図１７】
0003547606.tif 000027
【図１８】
0003547606.tif 000028
【図１９】
0003547606.tif 000029
【図２０】
0003547606.tif 000030
【図２１】
0003547606.tif 000031
【図２２】
0003547606.tif 000032
【図２３】
0003547606.tif 000033
【図２４】
0003547606.tif 000034